(57)【要約】【課題】画像再生時に正しい姿勢で液晶モニタに表示できるデジタルカメラを提供する。【解決手段】ＣＰＵ８２は、構図補助フレームＦ１、Ｆ２が選択された場合には横位置を示す姿勢情報をＲＯＭ１０８から読み取り（ステップＳ２２８）、構図補助フレームＦ３、Ｆ４が選択された場合には縦位置を示す姿勢情報をＲＯＭ１０８から読み取る（ステップＳ２４０）。シャッタボタン３０が押圧されると（ステップＳ２３０，２４２）、これら読み取られた姿勢情報は画像データとともにメモリカード９４に記録される（ステップＳ２３４，２３６）。再生モード時には、メモリカード９４から画像データおよび当該画像データの姿勢情報を読み出し、信号処理部８０にて姿勢情報に基き画像再生時に画像が正立するように画像データの表示角度を回転する画像処理を行う。この後、液晶モニタ３８に回転画像処理された画像データが出力され、正しい姿勢で画像が表示される。【選択図】  図５
2004208096.tif 000002
【特許請求の範囲】
【請求項１】
撮像手段によって連続的に取り込んだ画像を画像表示手段に表示し、該画像表示手段をビューファインダとして使用するとともに、撮影指示入力があると、前記撮像手段によって取得した画像を記録媒体に記録するデジタルカメラにおいて、
前記デジタルカメラが縦位置のときのみ該デジタルカメラで撮影される被写体の構図をアシストする第１の構図補助フレームを含む複数の構図補助フレームを記憶する構図補助フレーム記憶手段と、
前記複数の構図補助フレームから任意の構図補助フレームを選択し、該選択した構図補助フレームを前記画像表示手段に表示させる構図補助フレーム選択手段と、
前記画像表示手段に前記第１の構図補助フレームが表示された状態で撮影指示入力による撮影が行われると、前記撮像手段によって取得した画像を前記記録媒体に記録するとともに、デジタルカメラの縦位置を示す姿勢情報を該画像に関連付けて記録する記録手段と、を備えたことを特徴とするデジタルカメラ。
【請求項２】
前記構図補助フレーム記憶手段は、前記デジタルカメラが横位置のときのみ該デジタルカメラで撮影される被写体の構図をアシストする第２の構図補助フレームを記憶し、前記記録手段は、前記画像表示手段に前記第２の構図補助フレームが表示された状態で撮影指示入力による撮影が行われると、前記撮像手段によって取得した画像を前記記録媒体に記録するとともに、デジタルカメラの横位置を示す姿勢情報を該画像に関連付けて記録することを特徴とする請求項１に記載のデジタルカメラ。
【請求項３】
撮像手段によって連続的に取り込んだ画像を画像表示手段に表示し、該画像表示手段をビューファインダとして使用するとともに、撮影指示入力があると、前記撮像手段によって取得した画像を記録媒体に記録するデジタルカメラにおいて、
前記デジタルカメラが縦位置のときのみ該デジタルカメラで撮影される被写体の構図をアシストする第１の構図補助フレームを含む複数の構図補助フレームを記憶する構図補助フレーム記憶手段と、
前記複数の構図補助フレームから任意に構図補助フレームを選択し、該選択した構図補助フレームを前記画像表示手段に表示させる構図補助フレーム選択手段と、
前記画像表示手段に前記第１の構図補助フレームが表示された状態で撮影指示入力による撮影が行われると、前記撮像手段によって取得した画像を、該画像の再生時に画像が正立するように回転させて記録する記録手段と、を備えたことを特徴とするデジタルカメラ。
【発明の詳細な説明】
【０００１】
【発明の属する技術分野】
本発明はデジタルカメラに係り、特に画像表示手段をビューファインダとして使用するデジタルカメラに関する。
【０００２】
【従来の技術】
従来のデジタルカメラでは、撮影された画像の再生は、デジタルカメラに備えられた液晶モニタ（ＬＣＤ）にて行なわれる。この液晶モニタは、一般的にはカメラ本体の背面にその表示部を露呈するように取り付けられており、たとえば液晶モニタとしてＮＴＳＣ規格（アスペクト比３：４）のものを用いた場合はその表示部は横長に配置される。
【０００３】
ところで、撮影時のデジタルカメラの姿勢は、横位置（横撮り）に加えて縦位置（縦撮り）、すなわちデジタルカメラを９０度回転させた姿勢でも撮影が行なわれるが（図４参照）、この縦位置にて撮影された画像は、画像再生時、横長の液晶モニタに対して横倒しで再生表示されてしまうため、画像の確認が煩雑となる欠点があった。
【０００４】
この問題を解決するために特許文献１に記載された発明では、撮影時のカメラ姿勢（すなわち横位置か縦位置か）をカメラ本体に内蔵された姿勢センサ（縦横切り換えスイッチ）によって検出し、その検出結果を撮影された画像データとともに姿勢情報として記録している。画像再生時には、当該姿勢情報をもとにして画像を回転させて液晶モニタに表示でき、正しい姿勢で表示することができる。
【０００５】
【特許文献１】
特公平３−３２２７１号公報
【０００６】
【発明が解決しようとする課題】
しかし、このようなカメラではカメラ本体に姿勢センサを内蔵することが必要でコストアップが避けられないほか、姿勢センサを内蔵するためにカメラ本体内の各機器の配置構成に制限が生じるという不具合があった。
【０００７】
本願発明者は、撮影時に画像を表示する液晶モニタ上に構図補助フレームを表示して、初心者でもバランスのよい構図で画像を撮影することができるアシスト機能（ベストフレーミング機能）に着目し、このアシスト機能を用いた際にはカメラ姿勢が把握でき、これにより構図補助フレームとカメラ姿勢とが関連付けできることに着目した。
【０００８】
本発明はこのような事情に鑑みてなされたもので、画像再生時に正しい姿勢で液晶モニタに表示できるデジタルカメラを提供することを目的とする。
【０００９】
【課題を解決する為の手段】
本発明は前記目的を達成する為に、撮像手段によって連続的に取り込んだ画像を画像表示手段に表示し、該画像表示手段をビューファインダとして使用するとともに、撮影指示入力があると、前記撮像手段によって取得した画像を記録媒体に記録するデジタルカメラにおいて、前記デジタルカメラが縦位置のときのみ該デジタルカメラで撮影される被写体の構図をアシストする第１の構図補助フレームを含む複数の構図補助フレームを記憶する構図補助フレーム記憶手段と、前記複数の構図補助フレームから任意の構図補助フレームを選択し、該選択した構図補助フレームを前記画像表示手段に表示させる構図補助フレーム選択手段と、前記画像表示手段に前記第１の構図補助フレームが表示された状態で撮影指示入力による撮影が行われると、前記撮像手段によって取得した画像を前記記録媒体に記録するとともに、デジタルカメラの縦位置を示す姿勢情報を該画像に関連付けて記録する記録手段と、を備えたことを特徴としている。
【００１０】
本発明によれば、デジタルカメラが縦位置のときのみ被写体の構図をアシストする第１の構図補助フレームが選択された際に、撮影指示入力による撮影が行われると、撮像手段によって取得した画像を記録媒体に記録するとともに、デジタルカメラの縦位置を示す姿勢情報を画像に関連付けて記録する記録手段を備えているので、姿勢センサをカメラ本体に内蔵などすることなくデジタルカメラの姿勢を把握でき、これにより縦位置の撮影時の姿勢情報を記録できる。
【００１１】
また、請求項２に記載された本発明によれば、この構図補助フレーム記憶手段は、デジタルカメラが横位置のときのみ被写体の構図をアシストする第２の構図補助フレームを記憶し、記録手段は、画像表示手段に第２の構図補助フレームが表示された状態で撮影指示入力による撮影が行われると、撮像手段によって取得した画像を記録媒体に記録するとともに、デジタルカメラの横位置を示す姿勢情報をこの画像に関連付けて記録するので、姿勢センサをカメラ本体に内蔵などすることなく横位置の撮影時の姿勢情報を記録できる。
【００１２】
なお、ここで言う関連付けとは、たとえばカメラ本体の内蔵メモリ（ＲＯＭやＥＥＰＲＯＭなど）に、構図補助フレームに対してあらかじめ関連付けされた姿勢情報が記憶され、この姿勢情報を取得できることを意味する。この姿勢情報は、縦および横の２種類の情報のみに限定されず、たとえばカメラの姿勢を角度で示す角度情報などの種々の態様が想定でき、これらを統括して含むものとする。
【００１３】
請求項３に記載の本発明は、撮像手段によって連続的に取り込んだ画像を画像表示手段に表示し、該画像表示手段をビューファインダとして使用するとともに、撮影指示入力があると、前記撮像手段によって取得した画像を記録媒体に記録するデジタルカメラにおいて、前記デジタルカメラが縦位置のときのみ該デジタルカメラで撮影される被写体の構図をアシストする第１の構図補助フレームを含む複数の構図補助フレームを記憶する構図補助フレーム記憶手段と、前記複数の構図補助フレームから任意に構図補助フレームを選択し、該選択した構図補助フレームを前記画像表示手段に表示させる構図補助フレーム選択手段と、前記画像表示手段に前記第１の構図補助フレームが表示された状態で撮影指示入力による撮影が行われると、前記撮像手段によって取得した画像を、該画像の再生時に画像が正立するように回転させて記録する記録手段と、を備えたことを特徴としている。
【００１４】
請求項３に記載された本発明によれば、デジタルカメラが縦位置のときのみ被写体の構図をアシストする第１の構図補助フレームが選択された際に、撮影指示入力による撮影が行われると、撮像手段によって取得した画像を、該画像の再生時に画像が正立するように回転させて記録する記録手段を備えているので、記録媒体に画像とともに姿勢情報を記録することなく、画像再生時に正しい姿勢で液晶モニタに表示できる。
【００１５】
【発明の実施の形態】
以下、添付図面に従って本発明に係るデジタルカメラの好ましい実施の形態について詳説する。図１は、本発明の第１の実施の形態に係るデジタルカメラの一例を示す斜視図である。
【００１６】
カメラ１０の本体１１前面には沈胴式の撮影レンズ１２、ファインダー窓１４、ストロボ調光センサ１６、セルフタイマーランプ１８およびマイク部２０などが設けられている。撮影レンズ１２の後方には撮像素子としてのＣＣＤイメージセンサ（図１中不図示、図３中符号６８として記載、以下、ＣＣＤという。）が配置され、該ＣＣＤ６８から読み出された画像信号は所定の信号処理を経てデジタル画像データに変換される。
【００１７】
カメラ１０の側面にはスピーカ２１、デジタル（ＵＳＢ）端子２２、音声／映像出力端子（ＶＩＤＥＯ  ＯＵＴ) ２３および電源入力端子（たとえば、ＤＣ  ＩＮ  ３Ｖ用の端子）２４などが設けられている。図１中符号２５はメモリカードスロットのカバー（カード蓋）である。
【００１８】
カメラ１０の上面にはシャッタボタン３０、モードダイヤル３２およびポップアップ式のストロボ発光装置３４などが設けられている。本体１１側面に設けられている符号３５は、ストロボポップアップボタンである。
【００１９】
モードダイヤル３２は連写、マニュアル撮影、オート撮影、シーンポジション、動画記録、ボイスレコーダなどの動作モードを選択するための操作手段である。
【００２０】
図２はカメラ１０の背面図である。同図に示すようにカメラ１０の背面にはファインダー３６、液晶モニタ（ＬＣＤ）３８、電源スイッチ４０、モード選択レバー４２、十字キー４４、ステータス表示部４６、表示ボタン５０、メニュー／ＯＫボタン５２、ＢＡＣＫボタン５４などが設けられている。
【００２１】
液晶モニタ３８は、カラー液晶ディスプレイで構成されており、ＣＣＤ６８を介して取り込まれる画像やメモリカード（図３中符号９４として記載）から読み出した再生画像が表示されるとともに、モード情報、電池残量警告、撮影日時、再生コマ番号などの各種情報も表示される。
【００２２】
モード選択レバー４２は、撮影モードと再生モードを選択的に切り換えるための操作手段である。このモード選択レバー４２は、電源スイッチ４０の外周に回動自在に支持され、撮影モード位置（上側停止位置）と再生モード位置（下側停止位置）の２つの位置で停止可能なレバースイッチで構成されている。
【００２３】
十字キー４４は上キー４４Ｕ、下キー４４Ｄ、左キー４４Ｌおよび右キー４４Ｒの４つのプッシュ式スイッチからなり、上下左右の４方向の指示を入力する操作部である。十字キー４４は、メニュー画面から項目を選択したり、各メニューから各種設定項目の選択を指示するボタンとして機能する。また、十字キー４４の上キー４４Ｕおよび下キー４４Ｄは撮影モード時のズームスイッチ或いは再生モード時の再生ズームスイッチなどとして機能する。
【００２４】
これら４つのキーの内側には円形の窓部５６が形成され、この窓部５６にはステータス表示部４６が設けられている。ステータス表示部４６はドットマトリックス液晶で構成されており、ここには上下左右の各キー４４Ｕ、４４Ｄ、４４Ｌ、４４Ｒの機能およびモード状態を示す情報などが表示される。
【００２５】
表示ボタン５０は、撮影モード時に液晶モニタ３８の表示をオン／オフ操作するほか、後述するアシストモードに移行するための操作手段である。撮影モード時に液晶モニタ３８が消灯している場合、表示ボタン５０の１回目の押圧操作によって液晶モニタ３８に撮影画像がオンされ、さらに２回目の押圧操作によってアシストモードに移行される。なお、表示ボタン５０の３回目の押圧操作によりアシストモードを終了し、液晶モニタ３８上の表示を消灯（オフ）することができる。また、再生モードにおいて当該表示ボタン５０を押圧操作すれば再生方法（一コマ再生／マルチ画面再生）や再生中のコマ番号などのＯＳＤ（オンスクリーンディスプレイ）表示の表示／非表示を切り替えできる。
【００２６】
メニュー／ＯＫボタン５２は、液晶モニタ３８の画面上にメニューを表示させる指令を行うためのメニューボタンとしての機能と、選択内容の確定および実行などを指令するＯＫボタンとしての機能とを兼備した操作キーである。撮影者は十字キー４４の上キー４４Ｕまたは下キー４４Ｄを操作して、メニューから変更したい項目を選択し、左キー４４Ｌまたは右キー４４Ｒで設定内容を変更してからメニュー／ＯＫボタン５２で確定する。当該メニューには記録画質（クオリティー）、撮影画素数、画像消去（画像消去モード）などのほか、日付設定などの各種設定項目がある。
【００２７】
ＢＡＣＫボタン５４は、メニューから選んだ項目の取消（キャンセル）や一つ前の操作状態に戻る（ｕｎｄｏ）時などに使用される。なお、図中符号６１はグリップ部、符号６２は電池カバー（電池蓋）である。
【００２８】
図３は図１に示したデジタルカメラの内部構成を示すブロック図である。
【００２９】
同図において、撮影レンズ１２を通過した光は絞り６６にて光量が調節された後、ＣＣＤ６８に入射する。ＣＣＤ６８の受光面には多数のフォトセンサ（受光素子）が二次元的に配列されており、各フォトセンサに対応して赤（Ｒ）、緑（Ｇ）、青（Ｂ）の原色カラーフィルタが所定の配列構造（ベイヤー、Ｇストライプなど）で配置されている。撮影レンズ１２を介してＣＣＤ６８の受光面に結像した被写体像は、各フォトセンサによって入射光量に応じた量の信号電荷に変換され、ＣＣＤドライバ７０から与えられるパルスに基づいて信号電荷に応じた電圧信号（画像信号）として順次出力される。なお、ＣＣＤ６８は各フォトセンサの電荷蓄積時間（シャッタースピード）を制御する電子シャッター機能を有している。
【００３０】
ＣＣＤ６８から出力された画像信号はアナログ処理部７２に送られる。アナログ処理部７２はサンプリングホールド回路、色分離回路、ゲイン調整回路などの信号処理回路を含み、このアナログ処理部７２において、相関二重サンプリング（ＣＤＳ）処理並びにＲ，Ｇ，Ｂの各色信号に色分離処理され、各色信号の信号レベルの調整（プリホワイトバランス処理）が行われる。
【００３１】
アナログ処理部７２から出力された信号は、Ａ／Ｄ変換器７４によりデジタル信号に変換された後、内蔵バッファ７６およびバス８４を介して内蔵メモリを構成するＲＡＭ７８に格納される。ＣＣＤドライバ７０、アナログ処理部７２およびＡ／Ｄ変換器７４には、タイミングジェネレータ７７からタイミング信号が与えられ、このタイミング信号によって各回路の同期がとられている。
【００３２】
ＲＡＭ７８に格納された信号は信号処理部８０へ送られる。信号処理部８０は同時化回路、輝度・色差信号生成回路、ガンマ補正回路、シャープネス補正回路、コントラスト補正回路、ホワイトバランス補正回路、電子ズーム処理回路、トリミング処理回路などの画像信号処理回路および音声信号処理回路を含むデジタルシグナルプロセッサ（ＤＳＰ）で構成された信号処理手段であり、ＣＰＵ８２からのコマンドに従ってＲＡＭ７８を活用しながら画像信号および音声信号を処理する。また、信号処理部８０は画像信号に対して画像を回転させる回転画像処理を行う。この画像処理は、アシストモード時における姿勢情報または構図補助フレーム（これらは後述する）によって、その回転角度が設定される。信号処理部８０に入力されたこれら信号は、輝度信号（Ｙ信号）および色差信号（Ｃｒ，Ｃｂ信号）に変換されるとともに、ガンマ補正などの所定の処理が施された後、ＲＡＭ７８に再度格納される。
【００３３】
ＲＡＭ７８に格納された輝度・色差信号（ＹＣ信号）はバス８４を介してＶＲＡＭ８６に送られる。ＶＲＡＭ８６に記憶された輝度・色差信号はエンコーダ８７に送られ、ここでキャラクタジェネレータ８８から供給される文字や記号のデータとともに表示用の所定方式の信号、たとえばＮＴＳＣ方式のカラー複合映像信号に変換されて出力される。エンコーダ８７の出力はＤ／Ａ変換器８９を介してアナログ信号に変換された後、液晶モニタ３８に出力される。こうして、当該画像データの画像内容が液晶モニタ３８の画面上に表示される。
【００３４】
ＣＣＤ６８から出力される画像信号によってＲＡＭ７８内の画像信号が連続的に書き換えられ、その画像信号から生成される映像信号が液晶モニタ３８に供給されることにより、ＣＣＤ６８を介して入力する画像がリアルタイムに液晶モニタ３８に表示される（スルー画像表示）。撮影者は、液晶モニタ３８に映し出されるスルー画像によって液晶モニタ３８をビューファインダとして使用でき、これにより撮影画角を確認できる。なお、撮影画角はファインダー３６を用いても確認できる。
【００３５】
ＣＰＵ８２は、シャッタボタン３０や表示ボタン５０などを含むカメラ操作部１０５などからの入力に基づいて、所定のプログラムに従い本カメラシステムを制御する制御手段として機能する。操作部１０５から受入する入力信号に基づいて、ＣＰＵ８２は対応する回路の動作制御、レンズ駆動制御、撮影動作制御、ストロボ発光制御、画像信号処理制御、画像データの記録／再生制御、液晶モニタ３８における表示制御なども行う。なお、カメラ１０の電源は、バッテリ１２６または電源入力端子２４（図１参照）に接続される図示せぬＡＣパワーアダプターなどの外部電源を用いることができる。バッテリ１２６などから供給される電力は、ＤＣ／ＤＣコンバータを含む電源回路１２８によって所要の電圧に変換された後、各回路ブロックに供給される。
【００３６】
なお、ＲＯＭ１０８には、ＣＰＵ８２が実行するプログラムや制御に必要な各種データなどが格納されているほか、ＥＥＰＲＯＭ（不揮発性メモリ）１１０には各種設定情報などが予め格納されている。また、メモリカード９４としては、たとえばスマートメディア（Ｓｏｌｉｄ−Ｓｔａｔｅ  ＦｌｏｐｐｙＤｉｓｋ  Ｃａｒｄ）が適用されるが、記録媒体としてはこの他にもＸＤピクチャーカードなどでもよく、電子的、磁気的、若しくは光学的、またはこれらの組み合わせによる方式に従って読み書き可能な種々の媒体を用いることができる。
【００３７】
次に、以下にはアシストモードについて説明する。このアシストモードは、液晶モニタ３８上に構図補助フレームを表示して、初心者でもバランスのよい構図で画像の撮影を可能とするものである。
【００３８】
はじめに、図２におけるモード選択レバー４２によって撮影モードを選択し、次いで（液晶モニタ３８が消灯している場合には）表示ボタン５０を２回押圧操作すればアシストモードに移行する。このアシストモード時には、図３におけるエンコーダ８７からの画像信号はミキサ９１に一旦出力される。バス８４を介してミキサ９１と接続されたＲＯＭ１０８（ＥＥＰＲＯＭ１１０でもよい）には各種構図補助フレームを示すフレームデータが格納されており、ミキサ９１はＲＯＭ１０８から適宜のフレームデータを読み出し、エンコーダ８７から加えられた画像信号に対してフレームデータを高輝度に混合した後、Ｄ／Ａ変換器８９に出力する。Ｄ／Ａ変換器８９ではこの画像信号をアナログ信号に変換し、液晶モニタ３８に出力する。これにより、被写体を示す画像に構図補助フレーム（白線）が合成された合成画像が表示される。
【００３９】
図４は、この構図補助フレーム（同図破線部）の一例を示す図である。同図（ａ）（ｂ）に示した構図補助フレームＦ１，Ｆ２は、主に集合写真や２，３人の人物撮影などに使用されるフレームであり、主として横位置（横撮り）に使用される。一方、同図（ｃ）（ｄ）に示した構図補助フレームＦ３，Ｆ４は、主に人物撮影などに使用されるフレームで、主に縦位置（縦撮り）に使用される。これら構図補助フレームＦ１〜４を用いれば、水平もしくは垂直がきちんと撮れるように構図を決定する際の目安にできるほか、被写体を中央に配置する撮影が容易に行え、たとえばレンズの歪曲収差によるレンズの周辺のボケや、画像をプリントするサービスにおいて、周辺カットによる被写体への影響を最小限にできる。なお、構図補助フレームはこの他にも種々のものが考えられ、図４に示したものには限定されない。
【００４０】
これら構図補助フレームＦ１〜Ｆ４は、十字キー４４の左右キー４４Ｒ，４４Ｌの押圧操作によって変更でき、所望のフレームを選択できる。すなわち、アシストモードとすると、はじめに構図補助フレームＦ１が被写体を示す画像に合成されて表示され（これにより撮影者はアシストモードであることを把握できる）、その後、右キー４４Ｌが一回押圧される毎に構図補助フレームＦ２→Ｆ３→Ｆ４→Ｆ１の順に順次表示される。なお、左キーが押圧されると、上記と逆方向に構図補助フレームが順次表示される。
【００４１】
図３におけるＲＯＭ１０８（ＥＥＰＲＯＭ１１０でもよい）には、選択された構図補助フレームに予め関連付けされたカメラの姿勢情報が格納されている。左右キー４４Ｒ，４４Ｌの押圧操作によって横位置の構図補助フレームＦ１、Ｆ２が選択された場合には、ＣＰＵ８２は横位置（横撮り）を示す姿勢情報をＲＯＭ１０８から読み取りＲＡＭ７８に格納する。一方、縦位置の構図補助フレームＦ３、Ｆ４が選択された場合には、ＣＰＵ８２は縦位置（縦撮り）を示す姿勢情報をＲＯＭ１０８から読み取り、ＲＡＭ７８に格納する。なお、この姿勢情報は、あくまでカメラの姿勢を示すものであればどのようなものでも構わない。すなわち、縦位置および横位置といった２種類の姿勢情報のみに限定されず、たとえばカメラの姿勢を角度で示した角度情報でも構わない。
【００４２】
構図補助フレームＦ１〜Ｆ４のうち、所望の構図補助フレームを一つ決定したら、撮影者は被写体を構図補助フレームをもとにフレーミングする（図７参照）。この後、シャッタボタン３０が押圧（全押し）されると撮影指示信号が発せられる。図３におけるＣＰＵ８２は、この指示信号の受入に応動して記録用の画像データの取り込みを開始する。また、ＣＰＵ８２は圧縮伸張回路９０にコマンドを送り、これにより圧縮伸張回路９０はＲＡＭ７８上の画像データをＪＰＥＧその他の所定の形式に従って圧縮する。圧縮された画像データは、カードインターフェース９２を介してメモリカード９４に記録される。この際、ＲＡＭ７８に格納された構図補助フレームの姿勢情報は前記画像データとともにメモリカード９４に記録される。なお、メモリカード９４に記録される画像データには構図補助フレームの高輝度フレームデータは含まれない。
【００４３】
さて、モード選択レバー４２によって再生モードが選択されると、メモリカード９４に記録されている最終の画像データ、すなわち最後に記録した画像データが読み出され、圧縮伸張回路９０によって伸張処理された後、信号処理部８０に送られる。この際に、メモリカード９４に記録された当該画像データの姿勢情報も同時に読み出され、この姿勢情報をもとに信号処理部８０にて画像データの表示角度を回転させる画像処理がなされる。具体的には、当該画像データの姿勢情報が縦位置を示す情報である場合には、画像データの再生時に画像が正立するように回転させる画像処理、すなわち画像データの表示角度を９０°だけ時計方向に回転させる画像処理を行う。この後、画像処理が施された画像データが信号処理部８０からＶＲＡＭ８６、エンコーダ８７、Ｄ／Ａ変換器８９などを介して液晶モニタ３８に出力され、液晶モニタ３８に表示される（図８参照）。なお、この一コマ再生時には、十字キー４４の左／右キー４４Ｌ、４４Ｒを操作することにより順方向または逆方向に表示画像のコマ送り（画像送り）が行える。これにより、コマ送りされた次の画像データおよび姿勢情報がメモリカード９４から読み出され、上記と同様に姿勢情報が縦位置を示す情報である場合には、信号処理部８０にて画像データの表示角度を回転させる画像処理がなされた後、液晶モニタ３８に画像データが出力される。
【００４４】
次に、上記の如く構成されたカメラ１０のアシストモードの動作について図１〜図５を用いて説明する。図５はこの動作を示すフローチャートである。カメラ１０のＣＰＵ８２は、はじめにモード判別を行い（ステップＳ２１０）、モード切換レバー４２によって「撮影モード」が選択されているか否かを判断する。「撮影モード」が選択されていない場合、すなわち「再生モード」を選択している場合には、カメラ１０を「再生モード」で使用できるようにするための内部処理を行い（ステップＳ２１２）、再生可能な状態にセットする。この再生モードについては後述する。
【００４５】
ステップＳ２１０で「撮影モード」を選択し、表示ボタン５０を操作して液晶モニタ３８をオンとした場合には、撮影画像を取り込み（ステップＳ２１４）、液晶モニタ３８にスルー画像を表示させる（ステップＳ２１６）。
【００４６】
ステップＳ２１８では、シャッタボタン３０を「半押し」すると撮影レンズ１２による自動ピント合わせなどが行われ、「全押し」するとステップＳ２２０に進み、撮影指示信号が発せられて撮影が行われる。ＣＰＵ８２はこの指示信号の受入に応動して、記録用の画像データの取り込みを開始するとともに、圧縮伸張回路９０にコマンドを送り、ＲＡＭ７８上の画像データをＪＰＥＧその他の所定の形式に従って圧縮する。圧縮された画像データはカードインターフェース９２を介してメモリカード９４に書き込まれて保存される（ステップＳ２２１）。この後、前記ステップＳ２１４に戻り、ＲＡＭ７８（図３参照）から画像データが取り込まれ、液晶モニタ３８に再度スルー画像として表示される（ステップＳ２１４，２１６）。
【００４７】
表示ボタン５０（図２参照）を一回押圧操作して、アシストモードを開始すると（ステップＳ２２２）、はじめに横位置の構図補助フレームＦ１を液晶モニタ３８に表示した後（ステップＳ２２３）、ステップＳ２２６に進む。なお、ステップＳ２２２にてアシストモードが開始されない場合には、撮影モードが終了（電源オフ）したか否かが判断され（ステップＳ２２４）、終了されてない場合には前記ステップＳ２１４まで戻る。
【００４８】
ステップＳ２２６において、十字キー４４の左右キー４４Ｌ，４４Ｒの押圧操作によって構図補助フレームＦ１〜Ｆ４（図４参照）から所望のフレームを選択できる。横位置の構図補助フレームＦ１（またはＦ２）を選択した場合には、被写体を示す画像に構図補助フレームＦ１（Ｆ２）が合成された合成画像が表示される（ステップＳ２２８）。この際、ＣＰＵ８２は構図補助フレームＦ１（Ｆ２）の横位置を示す姿勢情報をＲＯＭ１０８から読み取り、ＲＡＭ７８に格納する。次いで、被写体を構図補助フレームＦ１（Ｆ２）をもとにフレーミングしてからシャッタボタン３０を押圧操作すると（ステップＳ２３０）、撮影指示信号が発せられ（ステップＳ２３２）、記録用の画像データの取り込みが開始される。これに伴い圧縮伸張回路９０はＲＡＭ７８上の画像データをＪＰＥＧその他の所定の形式に従って圧縮する。圧縮された画像データはカードインターフェース９２を介してメモリカード９４に書き込まれて保存される。この際に、選択された構図補助フレームＦ１（Ｆ２）の姿勢情報（横位置）がＲＡＭ７８から読み取られ、画像データとともにメモリカード９４に記録される（ステップＳ２３４）。この後、前記ステップＳ２２８にもどる。
【００４９】
一方、前記ステップＳ２２６にて縦位置の構図補助フレームＦ３（またはＦ４）が選択された場合には、被写体を示す画像に構図補助フレームＦ３（Ｆ４）が合成された合成画像が表示される（ステップＳ２４０）。ＣＰＵ８２は構図補助フレームＦ３（Ｆ４）の縦位置を示す姿勢情報をＲＯＭ１０８から読み取り、ＲＡＭ７８に格納する。なお、図７には、構図補助フレームＦ３を用いて人物の縦位置の撮影を行う際の液晶モニタ３８の表示例を示す。同図に示すように被写体を構図補助フレームＦ３をもとにフレーミングしてから、シャッタボタン３０を押圧操作すると（ステップＳ２４２）撮影指示信号が発せられ（ステップＳ２４４）、記録用の画像データの取り込みが開始される。圧縮伸張回路９０はＲＡＭ７８上の画像データを圧縮し、次いで圧縮された画像データがメモリカード９４に書き込まれて保存される。この際、選択された構図補助フレームＦ３（Ｆ４）の姿勢情報（縦位置）がＲＡＭ７８から読み取られ、画像データとともにメモリカード９４に記録される（ステップＳ２４６）。この後、前記ステップＳ２４０にもどる。
【００５０】
前記ステップＳ２３０（またはＳ２４２）にてシャッタボタン３０の押圧操作がなされない場合には、アシストモード終了か否かの判断がなされる（ステップＳ２５０）。表示ボタン５０が再度押圧操作され、アシストモードが終了した場合には、液晶モニタ３８の表示がオフされた後、前記ステップＳ２１０にもどる。アシストモードが終了されないと判断された場合には、前記ステップＳ２２６まで戻る。
【００５１】
次に、上記の如く構成されたカメラ１０の再生モードの動作について説明する。図６はこの動作を示すフローチャートである。ＣＰＵ８２によって前記ステップＳ２１０（図５参照）にてモード判別が行われ、「再生モード」が選択されていると判断した場合には、はじめにメモリカード９４から最終の画像データおよび当該画像データの姿勢情報を読み出す（ステップＳ３００）。
【００５２】
信号処理部８０では、必要に応じて、この姿勢情報に基き画像再生時に画像が正立するように、画像データの表示角度を回転させる画像処理を行う（ステップＳ３１０）。すなわち、姿勢情報が横位置を示す情報である場合には、画像データを液晶モニタ３８に出力し、再生画像をそのまま一コマ表示させる。一方、姿勢情報が縦位置を示す情報である場合には、画像データの表示角度を９０°だけ時計方向に回転させる画像処理を行った後、この画像データを信号処理部８０から液晶モニタ３８に出力して、液晶モニタ３８に再生画像を一コマ表示させる。図８には、この縦位置の姿勢情報として、図７に示した人物撮影を行った画像の液晶モニタ３８における表示例を示す。同図に示すように、当該画像データの姿勢情報をもとに画像データの回転画像処理がなされ、カメラ１０に対して正しい姿勢で液晶モニタ３８に表示されていることがわかる。
【００５３】
図６のステップＳ３１２では、ＣＰＵ８２は十字キー４４からの指令を監視し、コマ送りの指示が入力されたか否かを判断する。左キー４４Ｌまたは右キー４４Ｒが操作され、コマ送りの指示が入力された場合には、その指示に従って前コマまたは次コマの画像データおよび、当該画像データの姿勢情報をメモリカード９４から読み出すとともに（ステップＳ３１４）、ステップＳ３１０に戻り、必要に応じて当該読み出した画像データの再生処理（回転画像処理など）を実行して液晶モニタ３８の表示画像を更新する。
【００５４】
ステップＳ３１２でコマ送りの指令が入力されていないと判断した時にはステップＳ３１６に進み、表示ボタン５０が押圧操作されていないか判断する。表示ボタン５０が押圧操作されると、液晶モニタ３８における再生画像を一コマ再生／マルチ画面再生とで切り替えて表示する。図９には、マルチ画像表示された液晶モニタ３８の再生画像群を例として示す。このマルチ画像表示では、複数の画像データをメモリカード９４から読み出すとともに、これら画像データ一コマずつの姿勢情報もメモリカード９４から読み出し、読み出された複数の画像データに対し、当該姿勢情報をもとにした画像データの回転画像処理が信号処理部８０にて個別になされる。図９においては、符号１００の人物像のみ縦位置で撮影されており、人物像１００のみが回転画像処理がなされて液晶モニタ３８に正しい姿勢で表示されている例を示している。
【００５５】
この後、図６に示すステップＳ３２０に進み、再生モードの終了か否かを判断する。再生モードの終了操作が行われた場合には当該再生モードを終了し、終了操作が行われない場合には前記ステップＳ３００まで戻る。
【００５６】
このように、上述した本実施の形態によれば、カメラ１０が縦位置のときのみ被写体の構図をアシストする第１の構図補助フレームが選択された際に、シャッタボタン３０操作による撮影が行われると、ＣＣＤ６８にて取得した画像データをメモリカード９４に記録するとともに、カメラ１０の縦位置を示す姿勢情報を画像データに関連付けて記録する記録手段を備えている。したがって、姿勢センサをカメラ１０に内蔵などすることなくデジタルカメラの姿勢を把握でき、これにより縦位置の撮影時の姿勢情報を記録できる。また、画像再生時には、この姿勢情報に基づき画像データを回転画像処理して液晶モニタ３８に表示させるので、液晶モニタ３８に対して横倒しで表示されてしまうことがない。さらに、デジタルカメラが横位置のときのみ被写体の構図をアシストする第２の構図補助フレームが選択された際に、シャッタボタン３０操作による撮影が行われると、ＣＣＤ６８にて取得した画像データをメモリカード９４に記録するとともに、カメラ１０の横位置を示す姿勢情報を画像データに関連付けて記録するので、姿勢センサをカメラ１０に内蔵などすることなく横位置の撮影時の姿勢情報を記録できる。
【００５７】
ここで、図５に示したアシストモードの動作フローチャートは同図に限定されたものではなく、たとえば図１０に示す動作フローチャートも適用できる。すなわち、前述したようにステップＳ２２２にてアシストモードが開始されると、横位置の構図補助フレームＦ１が液晶モニタ３８に表示される（ステップＳ２２３）。次いで、十字キー４４の左右キー４４Ｌ，４４Ｒの押圧操作によって構図補助フレームが変更されているか否かが判断される（ステップＳ２５２）。構図補助フレームが変更されている場合には、選択された構図補助フレームが横位置の構図補助フレームか、縦位置の構図補助フレームかを姿勢情報から判断し、横位置の構図補助フレームの場合には液晶モニタ３８に横位置の構図補助フレームを表示させ（ステップＳ２５４）、縦位置の構図補助フレームの場合には液晶モニタ３８に縦位置の構図補助フレームを表示させる（ステップＳ２５６）。この後、被写体を構図補助フレームをもとにフレーミングしてから、シャッタボタン３０を押圧操作すると（ステップＳ２５８）、撮影指示信号が発せられ（ステップＳ２６０）、記録用の画像データの取り込みが開始されて、圧縮された画像データおよび姿勢情報がメモリカード９４に記録される（ステップＳ２６２）。
【００５８】
このような態様においても、撮影時に姿勢情報を記録画像とともに記録媒体に記録することができる。なお、この前後の動作については前述した撮影モードにおける手順と同様であるので、その説明を省略する。
【００５９】
次に、本発明の第２の実施の形態に係るデジタルカメラの一例について説明する。
【００６０】
本実施の形態のデジタルカメラは、前述したＲＯＭ１０８（ＥＥＰＲＯＭ１１０）に、構図補助フレームに予め関連付けされたカメラの姿勢情報を記憶などさせることなく、画像再生時に正しい姿勢で液晶モニタに表示できるものである。なお、姿勢情報を用いない以外は、その構成は前述した第１の実施の形態に係るカメラ１０と同一であるため、詳細説明は省略する。
【００６１】
図１１は、第２の実施の形態に係るデジタルカメラのアシストモードの動作を示すフローチャートである。
【００６２】
ステップＳ２２２にてアシストモードが開始されると、横位置の構図補助フレームＦ１が液晶モニタ３８に表示される（ステップＳ２２３）。この際、十字キー４４の左右キー４４Ｌ，４４Ｒの押圧操作によって図４に示した構図補助フレームＦ１〜Ｆ４から所望のフレームを選択できる（ステップＳ２７０）。横位置の構図補助フレームＦ１（またはＦ２）が選択された場合には、被写体を示す画像に構図補助フレームＦ１（Ｆ２）が合成された合成画像が表示される（ステップＳ２７２）。被写体を構図補助フレームをもとにフレーミングしてから、シャッタボタン３０を押圧操作すると（ステップＳ２７４）、撮影指示信号が発せられ（ステップＳ２７６）、記録用の画像データの取り込みが開始される。次いで、圧縮伸張回路９０によって圧縮された画像データがカードインターフェース９２を介してメモリカード９４に書き込まれて保存される。
【００６３】
一方、前記ステップＳ２７０にて縦位置の構図補助フレームＦ３（またはＦ４）が選択された場合には、被写体を示す画像に構図補助フレームＦ３（Ｆ４）が合成された合成画像が表示される（ステップＳ２８０）。被写体を構図補助フレームＦ３をもとにフレーミングしてからシャッタボタン３０を押圧操作すると（ステップＳ２８２）、撮影指示信号が発せられ（ステップＳ２８４）、記録用の画像データの取り込みが開始される。この際には、ＲＡＭ７８に格納された信号は信号処理部８０へ送られる。
【００６４】
信号処理部８０は、ＣＰＵ８２からのコマンドに従ってＲＡＭ７８を活用しながら画像信号を処理し、取得した画像の再生時に画像が正立するように回転させる画像処理を行う。すなわち、画像データの表示角度を９０°だけ時計方向に回転させる画像処理を行う。画像処理が施された画像データは信号処理部８０から圧縮伸張回路９０に出力され、圧縮された画像データ（回転画像処理済みの画像データ）がカードインターフェース９２を介してメモリカード９４に書き込まれて保存される（ステップＳ２８６）。なお、前記第１の実施の形態のデジタルカメラとは異なり、姿勢情報はメモリカード９４に記録などされることはない。
【００６５】
このようなデジタルカメラの再生モード時において、メモリカード９４から縦位置の画像データを読み出した際には、当該画像データはすでに回転画像処理がなされており、正しい姿勢で液晶モニタ３８に表示させることができる。なお、図１１における前後の動作については、前述した第１の実施の形態のカメラ１０における手順と同様であるので、その説明を省略する。
【００６６】
このように、上述した本実施の形態によれば、デジタルカメラが縦位置のときのみ被写体の構図をアシストする第１の構図補助フレームが選択された際に、シャッタボタン３０操作による撮影が行われると、ＣＣＤ６８によって取得した画像を、該画像の再生時に画像が正立するように回転させてメモリカード９４に記録するので、メモリカード９４に画像とともに姿勢情報を記録することなく、画像再生時に正しい姿勢で液晶モニタ３８に表示できる。とくに、姿勢情報のような画像データに対して付帯的な情報を必要とせず、たとえば撮影した画像データをパソコンに取り込み、パソコン上で画像の表示を行うビューワソフト（画像閲覧ソフト）などにおいて、正しい姿勢でパソコン上に表示させることができ、特殊なソフトを用いることなく画像データを扱うことが可能となる。
【００６７】
ここで、前述したステップＳ２８６や、前記第１の実施の形態におけるステップＳ３１０（図６参照）において、画像データを時計方向に回転させる画像処理を行ったが、この回転方向は図４（ｃ）（ｄ）のように、縦位置の撮影時にカメラを横位置から９０°だけ時計方向に回転させて縦撮り撮影を行う場合に限定されることは言うまでもない。したがって、たとえば縦位置の撮影時に反時計方向に回転させて縦撮り撮影を行うカメラの場合には、前記ステップＳ２８６における画像処理時の画像の回転方向も、これに伴って反時計方向となる。
【００６８】
なお、前述した実施の形態に示したデジタルカメラの構成は、前記実施の形態に限定されるものではない。たとえば、本発明の適用範囲はデジタルカメラに限定されず、ビデオカメラ、撮影機能付き携帯電話機、パソコン、ＰＤＡなど、画像データを取り扱う様々な機器に広く適用できる。
【００６９】
【発明の効果】
以上、説明したように本発明に係るデジタルカメラによれば、デジタルカメラが縦位置のときのみ被写体の構図をアシストする第１の構図補助フレームが選択された際に、撮影指示入力による撮影が行われると、撮像手段によって取得した画像を記録媒体に記録するとともに、デジタルカメラの縦位置を示す姿勢情報を画像に関連付けて記録する記録手段を備えているので、姿勢センサをカメラ本体に内蔵などすることなくデジタルカメラの姿勢を把握でき、これにより縦位置の撮影時の姿勢情報を記録できる。
【図面の簡単な説明】
【図１】本発明の実施の形態に係るデジタルカメラの一例を示す斜視図
【図２】本発明の実施の形態に係るデジタルカメラの一例を示す背面図
【図３】本発明の実施の形態に係るデジタルカメラの内部構成の一例を示すブロック図
【図４】本発明の実施の形態に係るデジタルカメラの液晶モニタに表示される構図補助フレームの一例を示す図
【図５】本発明の実施の形態に係る第１の実施の形態のデジタルカメラのアシストモードの動作を示すフローチャート
【図６】本発明の実施の形態に係るデジタルカメラの再生モードの動作を示すフローチャート
【図７】本発明の実施の形態に係るデジタルカメラを用いた縦位置撮影時の液晶モニタの表示例を示す図
【図８】本発明の実施の形態に係るデジタルカメラを用いて縦位置撮影された画像の、再生時における液晶モニタ表示例を示す図
【図９】本発明の実施の形態に係るデジタルカメラを用いて縦位置撮影された画像の、マルチ画像表示の液晶モニタ表示例を示す図
【図１０】本発明の実施の形態に係るデジタルカメラの別のアシストモードの動作を示すフローチャート
【図１１】本発明の実施の形態に係る第２の実施の形態のデジタルカメラのアシストモードの動作を示すフローチャート
【符号の説明】
１０…カメラ、３０…シャッタボタン、３８…液晶モニタ（ＬＣＤ）、４４…十字キー、５０…表示ボタン、８２…ＣＰＵ、９１…ミキサ、９４…メモリカード、１０８…ＲＯＭ、Ｆ１〜４…構図補助フレーム
【図１】
2004208096.tif 000003
【図２】
2004208096.tif 000004
【図３】
2004208096.tif 000005
【図４】
2004208096.tif 000006
【図５】
2004208096.tif 000007
【図６】
2004208096.tif 000008
【図７】
2004208096.tif 000009
【図８】
2004208096.tif 000010
【図９】
2004208096.tif 000011
【図１０】
2004208096.tif 000012
【図１１】
2004208096.tif 000013